(57)【特許請求の範囲】
【請求項１】
所定形態の演出部材と、その演出部材を遊技盤の遊技領域に出没自在に動作させる駆動手段と、その演出部材の動作と連係して作動する被検出片と、その被検出片の所定部位を検出する検出手段とを備えたパチンコ機の役物装置において、
前記演出部材に一体に設けられた回転軸を前記駆動手段のモータ装置により時計方向及び反時計方向に回転自在に設け、そのモータ装置の出力軸に取り付けた駆動ギヤと一体状に設けられた扇形の被検出片は時計方向又は反時計方向の何れかの方向へ回転した前進端にて前記単独の検出手段により検出されるように設けられ、他方、その被検出片は前記方向と反対方向へ回転した後退端において前記検出手段により検出されないように設けられ、
パチンコ機の電源投入時において、前記検出手段により被検出片を検出していない場合には、前記検出手段により被検出片を検出するまで前記モータ装置を一方向へ回転駆動させて、検出手段により被検出片を検出したことに基づいてモータ装置をその方向と反対方向へ回転駆動させ、ついで、検出手段により被検出片を検出しなくなったことに基づいてモータ装置を停止させて前記演出部材が露出位置から、遊技領域より隠れた状態の収納位置を原位置とするように制御し、若しくはパチンコ機の電源投入時において前記検出手段により被検出片を検出している場合には、前記検出手段により被検出片を検出しなくなるまでモータ装置を前記反対方向へ回転駆動させて、検出手段により被検出片を検出しないことに基づいてモータ装置を停止させて前記演出部材が露出位置から、遊技領域より隠れた状態の収納位置を原位置とするように制御し、
又はパチンコ機の電源投入時において、前記検出手段により被検出片を検出している場合には、前記検出手段により被検出片を検出しなくなるまで前記モータ装置を一方向へ回転駆動させて、検出手段により被検出片を検出しなくなったことに基づいてモータ装置をその方向と反対方向へ回転駆動させ、ついで、検出手段により被検出片を検出したことに基づいてモータ装置を停止させて前記演出部材が露出位置から、遊技領域より隠れた状態の収納位置を原位置とするように制御し、若しくはパチンコ機の電源投入時において前記検出手段により被検出片を検出していない場合には、前記検出手段により被検出片を検出するまでモータ装置を前記反対方向へ回転駆動させて、検出手段により被検出片を検出したことに基づいてモータ装置を停止させて前記演出部材が露出位置から、遊技領域より隠れた状態の収納位置を原位置とするように制御するように構成したことを特徴とするパチンコ機における役物装置。
【発明の詳細な説明】
【技術分野】
【０００１】
本発明は、パチンコ機における役物装置に関するものである。
【背景技術】
【０００２】
図１０に示すように、従来のパチンコ機の役物装置ａは、遊技盤ｐの遊技領域ｒのほぼ中央に配置された図柄表示装置ｑの装飾部材ｕの上部背面側に設置される。この役物装置ａは、図１１に示すように、１８０°の角度間隔をおいて配置された操作片ｄ、ｅを備えた回転板ｃをモータｂの駆動により回転駆動し、その回転板ｃに連結されたアームｉを回動軸ｈを支点として揺動させることにより、当該アームｉの先端部ｋにスライドｌを介して連結された演出部材ｍを、遊技盤ｐの前面に位置する遊技者側から装飾部材ｕに隠れて見えない収納位置（図１０）と、遊技者側から見える露出位置とに切替可能に設け、検出スイッチｓが回転板ｃに１８０°の角度間隔をおいて半径方向に配置した切欠部ｆ，ｇの何れかを検出したときにモータｂの駆動を停止するように制御し、その検出時における演出部材ｍの位置を収納位置、即ち原位置とするように構成されている。
【０００３】
しかし、演出部材の収納位置を検出する一連の原位置検出部を設けるためのスペースは限られているために、装飾部材の背面側に小さなスペースしかないパチンコ機の場合には、上記役物装置ａにおける原位置検出部のように、回転板ｃを１回転させる構造とすることができないことがある。
【０００４】
また、原位置検出部を所定の回動規制範囲内を往復動する可動片を検出スイッチによって検出するような構成とした場合には、原位置検出制御時に、可動片をどちらの方向に回動させるべきかが分からず、モータをどれだけの時間駆動させればよいのかも分からない。
このため、可動片を回動させたときに、可動片が回動範囲を規制する規制部材に衝突してからもモータが駆動され続けると、モータに大きな負荷がかかって故障してしまうことがある。これについては、規制部材の付近に検出スイッチを設けることにより回避することができるが、それでは検出部が複雑な構成になると共にコスト的な問題が生じる。
【０００５】
また、この役物装置ａにおいて、図１１、図１２（ロ）の演出部材ｍの収納位置でモータｂが回転して操作片ｄとアームｉの後端部ｊとの係合が解かれると、演出部材ｍは自重により下降位置まで瞬時に降下して図１２（イ）の露出位置となる。
【０００６】
上述した役物装置ａでは、上記演出部材ｍの自重による落下の際に相当の衝撃力が発生する。このため、当該衝撃力を緩和する緩衝機能を設けることを要すると思われるが、上記露出位置とする度に毎回発生する衝撃作用によってアームｉや当該アームｉの先端部ｋの周辺部分が損傷する危惧がある。
【特許文献１】なし
【発明の開示】
【発明が解決しようとする課題】
【０００７】
本発明の目的は、原位置検出部を簡単な構成として小さなスペースで設置可能とすると共にモータへの負荷の軽減を図ったパチンコ機における役物装置を提供することにある。
【課題を解決するための手段】
【０００８】
前記目的を達成するために請求項１に記載した発明は、所定形態の演出部材と、その演出部材を遊技盤の遊技領域に出没自在に動作させる駆動手段と、その演出部材の動作と連係して作動する被検出片と、その被検出片の所定部位を検出する検出手段とを備えたパチンコ機の役物装置において、前記演出部材に一体に設けられた回転軸を前記駆動手段のモータ装置により時計方向及び反時計方向に回転自在に設け、そのモータ装置の出力軸に取り付けた駆動ギヤと一体状に設けられた扇形の被検出片は時計方向又は反時計方向の何れかの方向へ回転した前進端にて前記単独の検出手段により検出されるように設けられ、他方、その被検出片は前記方向と反対方向へ回転した後退端において前記検出手段により検出されないように設けられ、
パチンコ機の電源投入時において、前記検出手段により被検出片を検出していない場合には、前記検出手段により被検出片を検出するまで前記モータ装置を一方向へ回転駆動させて、検出手段により被検出片を検出したことに基づいてモータ装置をその方向と反対方向へ回転駆動させ、ついで、検出手段により被検出片を検出しなくなったことに基づいてモータ装置を停止させて前記演出部材が露出位置から、遊技領域より隠れた状態の収納位置を原位置とするように制御し、若しくはパチンコ機の電源投入時において前記検出手段により被検出片を検出している場合には、前記検出手段により被検出片を検出しなくなるまでモータ装置を前記反対方向へ回転駆動させて、検出手段により被検出片を検出しないことに基づいてモータ装置を停止させて前記演出部材が露出位置から、遊技領域より隠れた状態の収納位置を原位置とするように制御し、
又はパチンコ機の電源投入時において、前記検出手段により被検出片を検出している場合には、前記検出手段により被検出片を検出しなくなるまで前記モータ装置を一方向へ回転駆動させて、検出手段により被検出片を検出しなくなったことに基づいてモータ装置をその方向と反対方向へ回転駆動させ、ついで、検出手段により被検出片を検出したことに基づいてモータ装置を停止させて前記演出部材が露出位置から、遊技領域より隠れた状態の収納位置を原位置とするように制御し、若しくはパチンコ機の電源投入時において前記検出手段により被検出片を検出していない場合には、前記検出手段により被検出片を検出するまでモータ装置を前記反対方向へ回転駆動させて、検出手段により被検出片を検出したことに基づいてモータ装置を停止させて前記演出部材が露出位置から、遊技領域より隠れた状態の収納位置を原位置とするように制御するように構成したことを特徴とする。
【発明の効果】
【０００９】
（請求項１の発明）
このパチンコ機における役物装置は、原位置検出部が検出手段により検出される被検出片を１回転させることなく検出可能であって簡素な構成とされているので、原位置検出部を小さなスペースで設置することができる。加えて、モータ装置への負荷が少ない構造とされているので、故障しにくく長期間にわたり安定して作動する。
【００１０】
さらには、原位置検出部の検出片を駆動ギヤと一体状に設けているので、原位置検出部をコンパクトにすることができる。
【発明を実施するための最良の形態】
【００１１】
以下に、本発明の最良の形態例を図面に基づいて説明する。図１は本発明にかかるパチンコ機の役物装置を設置した遊技盤の概要正面図、図２は図１に示す遊技盤の裏部品を除いた状態を示す背面図、図３は図１のＡ−Ａ線断面図、図４は演出部材が原位置の状態における役物装置の斜視図、図５は演出部材が進出位置の状態における役物装置の斜視図、図６は演出部材が原位置の時における役物装置の正面図、図７は演出部材が進出位置の時における役物装置の正面図、図８は原位置検出制御順序を示すフローチャート、図９は他の実施例の原位置検出制御順序を示すフローチャートである。
【００１２】
本発明にかかるパチンコ機における役物装置１を遊技盤５０に設置した態様を図１に示す。このパチンコ機における役物装置１は、所定形態の演出部材２と、演出部材２を遊技盤５０の遊技領域ｒに出没自在に動作させる駆動手段５と、その演出部材２の原位置（収納位置）を検出するための原位置検出部１２とから構成されている。
【００１３】
このパチンコ機は、渦巻状に配置された外側レール５１と内側レール５２により囲まれる遊技領域ｒに、パチンコ球の通過を検出する通過ゲート５３と、普通図柄表示器５４、始動入賞装置５５と、液晶画面部を備えた図柄表示装置５６及び大入賞装置６５を設け、遊技領域ｒに打ち込まれたパチンコ球が通過ゲート５３を通過することにより普通図柄表示器５４が作動して所定の図柄を表して停止し、このときにパチンコ球が入賞しにくい閉成状態から入賞しやすい開放状態に切り替えられる始動入賞装置５５にパチンコ球が入賞することにより図柄表示装置５６を作動させ、その図柄表示装置５６が所定の図柄を表して停止すると特定遊技状態が発生して大入賞装置６５の大入賞口をパチンコ球を受け入れる開放状態とし、その開放状態が所定回数だけ繰り返されて多量の景品球を放出することができる一般的構造とされている。
【００１４】
５７は図柄表示装置５６の液晶画面部の周囲を飾るために遊技盤５０に取付けられたプラスチック製の装飾体である。５８はその液晶画面を臨ませるために装飾体５７の中心部を開放して設けられたほぼ矩形状の窓穴である。５９は窓穴５８の上部前方を横断するように装飾体５７に設けられた目隠し片である。
【００１５】
図３に示すように、上記窓穴５８の上部を横断するように装飾体５７に設けられた扁平形態の枠部材６０の裏面側には、本発明にかかる役物装置１を構成する駆動手段５のギヤボックス６がビス６１により締め付け固定されている。そのギヤボックス６には、両端に丸みのある棒形状の演出部材２の後面から水平方向に突出するように一体に設けられた回転軸３を回転可能に設けると共に、当該回転軸３をモータ装置９によりギヤ機構を介して時計方向及び反時計方向に回転自在に設けている（図４）。そのモータ装置９は、ギヤボックス６に固定される取付板８に取付けられている。その枠部材６０は、目隠し片５９の後方に演出部材２を収めることを可能とする所定間隔を置いて配設されている。
【００１６】
上記ギヤ回転機構は、図４、図６に示すように、モータ装置９の出力軸９ａに取り付けられた駆動ギヤ１１により中間ギヤ１５を介して演出部材２の回転軸３に設けたギヤ１６を駆動するように設けられている。その駆動ギヤ１１の一側端部には、扇形の被検出片１３が一体状に設けられている。１７は被検出片１３を挟むように一対の投光部１８ａと受光部１８ｂを配置した検出手段としての単独のフォトセンサーである。それら被検出片１３とフォトセンサー１７により原位置検出部１２が構成されている。
【００１７】
しかして、その被検出片１３は、時計方向又は反時計方向の何れかの方向へ回転した前進端にてフォトセンサー１７により検出されるように設けられ、他方、被検出片１３は、前記方向と反対方向へ回転した後退端においてフォトセンサー１７により検出されないように設けられている。
【００１８】
詳しくは、被検出片１３の平坦部１３ａがフォトセンサー１７により検出されたときには（フォトセンサー：オフ状態）、演出部材２は図５、図７に示す縦向き姿勢の進出位置（露出位置）にある。また、被検出片１３の平坦部１３ａがフォトセンサー１７により検出されないときには（フォトセンサー：オン状態）、演出部材２は図４、図６に示す横向き姿勢の原位置（収納位置）にあるように制御される。なお、本発明における原位置検出部１２は、上記被検出片１３を１回転させることなくフォトセンサー１７によって検出可能としているため、コンパクトに構成することができる。
【００１９】
つぎに、上記構成になる本発明のパチンコ機における役物装置１の原位置検出制御について、図８のフローチャートに基づき説明する。
（１）パチンコ機の電源を投入することにより、原位置検出制御がスタートする。
（２）フォトセンサー１７により被検出片１３が検出されていないオン状態の場合（Ｓ７１，ＹＥＳ）には、被検出片１３が検出されるまでモータ装置９を時計方向へ回転駆動させる（Ｓ７２）。また、フォトセンサー１７により被検出片が検出されているオフ状態の場合（Ｓ７１，ＮＯ）には、（４）のモータ装置９を反時計方向へ回転駆動させる制御に移行する（Ｓ７５）。
（３）被検出片１３がフォトセンサー１７により検出される（オフ状態になる）と（Ｓ７３，ＹＥＳ）、モータ装置９を所定時間停止させる。
（４）ついで、モータ装置９を反時計方向へ回転駆動させ（Ｓ７５），フォトセンサー１７により被検出片１３が検出されないオン状態になると（Ｓ７６，ＹＥＳ）、モータ装置９を停止する。これにより、役物装置１の原位置検出制御が終了し、演出部材２は目隠し片５９から隠れた横向き姿勢の収納位置となる。
【００２０】
図９のフローチャートには、他の実施例の原位置検出制御順序を示す。
この実施例においては、被検出片の平坦部がフォトセンサー１７により検出されたときには（フォトセンサー：オフ状態）、演出部材２は横向き姿勢の原位置（収納位置）にある。また、被検出片の平坦部がフォトセンサー１７により検出されないときには（フォトセンサー：オン状態）、演出部材２は縦向き姿勢の進出位置（露出位置）にあるように制御される。このフローチャートの説明については、前述した図８のフローチャートの説明に準ずるので省略する。
なお、上記原位置検出制御を行なうためには、被検出片の平坦部の形状を変更する必要がある。
【００２１】
以上に述べた通り、このパチンコ機における役物装置は、原位置検出部がフォトセンサーにより検出される被検出片を１回転させることなく検出可能であって簡素な構成とされているので、この原位置検出部を小さなスペースで設置することができる等の利点がある。
【図面の簡単な説明】
【００２２】
【図１】本発明にかかるパチンコ機の役物装置を設置した遊技盤の概要正面図
【図２】図１に示す遊技盤の裏部品を除いた状態を示す背面図
【図３】図１のＡ−Ａ線断面図
【図４】演出部材が原位置の状態における役物装置の斜視図
【図５】演出部材が進出位置の状態における役物装置の斜視図
【図６】演出部材が原位置の状態における役物装置の正面図
【図７】演出部材が進出位置の状態における役物装置の正面図
【図８】原位置検出制御順序を示すフローチャート
【図９】他の実施例の原位置検出制御順序を示すフローチャート
【図１０】従来のパチンコ機の役物装置を設置した遊技盤の概要正面図
【図１１】従来のパチンコ機の役物装置の斜視図
【図１２】従来の原位置検出部における（イ）露出位置と（ロ）収納位置の説明図
【符号の説明】
【００２３】
１・・・パチンコ機の役物装置
２・・・演出部材
３・・・回転軸
５・・・駆動手段
９・・・モータ装置
９ａ・・・出力軸
１１・・・駆動ギヤ
１２・・・原位置検出部
１７・・・フォトセンサー（検出手段）
５０・・・遊技盤
６０・・・枠部材
ｒ・・・遊技領域
【図１】
0004584189.tif 000002
【図２】
0004584189.tif 000003
【図３】
0004584189.tif 000004
【図４】
0004584189.tif 000005
【図５】
0004584189.tif 000006
【図６】
0004584189.tif 000007
【図７】
0004584189.tif 000008
【図８】
0004584189.tif 000009
【図９】
0004584189.tif 000010
【図１０】
0004584189.tif 000011
【図１１】
0004584189.tif 000012
【図１２】
0004584189.tif 000013